Podtech/llm-jp-corpus-v4-ja_patent huggingface dataset:
(57)【要約】【課題】［００１３］  この発明が目的とする内容は、ブロメラインの酵素を有効に使いマグロ、その他海洋性の動脈球からエラスチンを取り出すことを課題とする。【解決手段】マグロ動脈球より得られた水溶液を原料にすることで、動脈球より加水分解エラスチンが得られる。動脈球にブロメラインを動脈球の１〜１０％配合し、秤量。プロピレングリコールを全量の１０％程度と１，２ヘキサンジオールを１〜１０％配合し１〜６０分浸す。その後２〜１０倍量の精製水を加え、４０〜６０度付近の温度帯域で５〜１２時間インキュベートすることにより、活性されたブロメラインプロテアーゼが動脈球の肉部よりエラスチンを溶出させる。温度を８０℃以上に上げ、１０〜２０分でブロメラインプロテアーゼを失活させることにより得られることで解決する。得られる水溶性エラスチンには、エラスチン特有のアミノ酸であるデスモシン、イソデスモシンが含まれる。【選択図】図１
2020050648.tif 000002
【特許請求の範囲】
【請求項１】
ブロメラインを使用した、マグロの動脈球より得られるエラスチン水溶液の製造方法
【発明の詳細な説明】
【技術分野】
【０００１】  本発明は、マグロの動脈球にブロメライン酵素を用いて得られるエラスチン水溶液の製造に関するものである。
【背景技術】
【０００２】  現在、市場に流通しているエラスチンは、動脈、腱、皮膚などの生体内における伸縮性に富む組織に存在する繊維状タンパク質である。コラーゲンとともに細胞外部においてゲル化した細胞外マトリックスを形成している。コラーゲンが規則正しい三本鎖らせんを形成し、長くて丈夫な構造であるのに対し、エラスチンは、はっきりした構造をもたず、架橋をつくって結びつき、ゴムに似た弾性繊維を形成し、コラーゲンを紡ぐゴムやバネのような役割を果たしている。これにより、皮膚などの組織は柔軟に伸縮することができるようになっている。また、牛由来、豚由来、海洋性由来などが介在しており、エラスチンを抽出する過程で、豚の胃粘膜部位抽出によるＰｅｐｓｉｂｉｏ１：１０，０００（日本バイオコン社）等を使用して、エラスチンが存在する靭帯や心臓部等のタンパク分解を行い、得られるものであり実用上十分であった。【０００３】  しかし、エラスチンを使用するには世界的な規模で考えると「イスラム圏」などの国家で宗教上若しくは、ハラムといった内容からエチルアルコールや豚などを使用出来ない問題があり、エタノールを使用した原料や、豚の部位を使用した、酵素等を元にした原料を供することは出来ない。
【発明の概要】
【発明が解決しようとする課題】
【０００４】  エラスチンを抽出する環境は哺乳類のみならず海洋性生物、両生類を含め多岐に渡っている。エラスチンには、デスモシン、イソデスモシンという他のタンパク質には、見られない特有のアミノ酸が含まれていることから、これを含有するペプチドによる生理活性などが期待されている。このような状況において、エラスチンを効率的に生産する技術の開発が求められている。【０００５】  これらの改善策として、私共は、果物の種類の選定を行った。果物は酵素活性が強いとされるキウイやパイナップルなどを元に活性を調査し、選択した結果、ブロメラインを使用し、酵素の活性を調査した。その中でブロメラインが５０℃±５℃４時間以上という、長時間で高温に耐える活性を示した。結果ブロメライン（Ｇｒｉｆｏｌａ  ｆｒｏｎｄｏｓａ）より酵素を得て、エラスチンを取り出す手段を選んだ。また、エラスチン由来ペプチドには、デスモシン、イソデスモシンという他のタンパク質には、ほとんど見られない特有のアミノ酸が含まれている、これを含有するペプチドによる生理活性効果等、しみやシワの低減が期待されている。このような状況において、エラスチン由来ペプチドを効率的に生産する技術の開発が現在、求められている。【０００６】  鮪心臓部である動脈球を酵素分解により軟化させ、エラスチンを採取させるためには、肉の軟化成分として熱帯植物パイナップルやパパイヤ、キウイフルーツなどを利用することが知られている。これらの植物の持つプロテアーゼは比較的熱安定性が高く、調整中に肉部位のタンパク質に作用するため、検討の余地にある。プロテアーゼ活性が高いものの中には、パイナップル類に含まれるブロメラインなどの酵素を選択することを課題とする。
【課題を解決するための手段】
【０００７】  パイナップルは食肉とも相性の良い材料であり、食物繊維などが豊富で、健康志向の高い食品である。そこで、我々は、パイナップルの茎部分に多く存在するブロメラインを用いてプロテアーゼの調査を行い、高いプロテアーゼ活性を有するブロメラインのプロテアーゼの特徴について基礎的な検討を行った。結果ブロメライン使うことを基準として、鮪動脈球よりエラスチンを得ることに成功した。イスラム圏の宗教的理由により、豚の酵素を使用している現在のエラスチン採取の作用を、豚由来の酵素を使用せずに世界中に鮪動脈球を使用したエラスチンを供給出来ることを最も主要な特徴とする。この発明は、ブロメラインを使用し、鮪動脈球の重量の２〜１０倍量の水を加え、ホモジナイズ後、ろ過して得られた抽出液を試料とした。また、この抽出液の卵白分解活性を調べた。これらの中より分解活性の高かったものを選び、最適温度、最適ｐＨ、熱安定性などを検討した。さらにプロテアーゼの性質を調べるため、部分精製を試みた。５０〜６０℃域ではブロメラインが、酵素活性が高くさらに熱安定性をみると、安定であったものは他の酵素、アクチニジンやパパインよりブロメラインであった。ブロメラインは５０℃、５時間でも活性が残存していた。また、最適ｐＨは５〜７の範囲であった。このことより、ブロメラインは肉軟化のために有効な原料であると推察された。ブロメラインの酵素を失活させる温度帯は８０〜９０度以上で、１０〜２０分以上の時間が必要と思われる。  ブロメライン１ｇと動脈球１００ｇに対し２〜１０倍の重量の精製水にてメスアップ後、ホモジナイズを行う。ｐＨはおよそ５〜７付近の中性を示す。５０〜６０℃の範囲内で５時間インキュベートしたものを３０メッシュでろ過する。残渣を取り除き得られた抽出液をさらにろ紙でろ過を行い８０℃以上の温度で２０分煮沸し酵素活性を失活させる。放冷し常温にしたものを、ろ紙で二次ろ過を行う。
【発明の効果】
【０００８】  本発明の優位な点は、Ｐｅｐｓｉｂｉｏ１：１０，０００など市販の豚由来酵素を使用した場合の活性、失活領域と温度が異なる。これにより鮪動脈球よりエラスチンを取り出す際の油分などを気にせずに水溶液となるという利点がある。
【図面の簡単な説明】
【０００９】
【図１】エラスチンのアミノ酸デスモシンとイソデスモシンを抽出した例である。
【発明を実施するための形態】
【００１０】図１はエラスチンとしての同定としてデスモシン、イソデスモシンを損なわずにマグロ動脈球よりの採取を実現した証明。
【産業上の利用可能性】
【００１１】  取り出したエラスチンは、イスラム圏を含めた全世界に販売ができる可能性があり、エラスチンがもたらす「ハリ」「潤い」などの効能、効果の恩恵を世界中の人々が宗教上の理由やハラム等の問題もなく受けることが出来る。
【符号の説明】
【００１２】１  デスモシン      エラスチンたんぱくの一種
２  イソデスモシン  エラスチンたんぱくの一種
【図１】
2020050648.tif 000003
(57)【要約】      （修正有）【課題】ドローンを空気の希薄な上空に飛ばすために、ドローンの内部に風船を内蔵させその浮力を利用したドローンを提供する。【解決手段】ドローン１に縮んだ風船２を内蔵し、ドローンをより高度に到達させたい時に、気球用充填ガスボンベ３のガス充填用バルブ４を開き、風船を膨らませ、ドローンの浮力を助ける。ドローンを下降させる時には、風船に充填されたガスをガス放出用バルブ５を開いて放出させる。ガス充填用バルブ４は緊急時に開いて落下を防止することもできる。【選択図】図１
2020050325.tif 000002
【特許請求の範囲】
【請求項１】
ドローン（１）に浮力を助けるための風船（２）と気球用充填ガスボンベ（３）を内蔵し、ガス充填用バルブ（４）、下降時のためのガス放出用バルブ（５）を設けたドローン。
【発明の詳細な説明】
【技術分野】
【０００１】本発明は、ドローンに気球と気球用充填ガスボンベを内蔵したドローンに関するものである。
【背景技術】
【０００２】従来、ドローンの推力はプロペラのみであった。
【先行技術文献】
【０００３】
【特許文献１】特開２０１８−１１１４７４
【特許文献２】特許６０６８２４８
【特許文献３】特開２０１７−０６１１７４
【発明の概要】
【発明が解決しようとする課題】
【０００４】従来、ドローンの推進力はプロペラのみであった。そのため、空気の希薄な上空ではプロペラのみの推力ではエネルギーの消費が激しく、高度を保つことが困難であった。
本発明は、空気が希薄になった時に、気球用充填ガスボンベのバルブを開き、風船を膨らませ、バルーンの推力を助けるようにしたものである。また、バルーンの下降時には風船内のガスを抜き下降を助けることができる。
副次的に、緊急時（衝撃や急な圧力変化）には風船を膨らませ、落下事故を防ぐことができる。
2020050325.tif 000003
【課題を解決するための手段】
【０００５】バルーン（１）に風船（２）及び気球用充填ガスボンベ（３）を内蔵し、ガス充填用バルブ（４）及び風船内ガス放出用のバルブ（５）を手動又は自動でコントロールする。
本発明は、以上の構成よりなる上昇用風船内蔵のバルーンである。
【発明の効果】
【０００６】ドローンに気球を内蔵させ、高度に達した時に気球を膨らませ、より高度にドローンを上昇させるようにしたものである。
ガス充填用バルブ及びガス放出用のバルブの動作はオン−オフのみであり、ガスの圧縮などが必要ないため、製作も容易であり、オン−オフするためのエネルギーも少ない。
【図面の簡単な説明】
【０００７】
【図１】本体の構成図である。
【発明を実施するための形態】
【０００８】以下、本発明を実施するための形態について説明する。
ドローン（１）に縮んだ風船（２）を内蔵し、ドローンをより高度に到達させたい時に、気球用充填ガスボンベ（３）のバルブ（４）を開き、風船を膨らませ、ドローンの浮力を助ける。
ドローンを下降させる時には、風船に充填されたガスをバルブ（５）を開いて放出させる。
充填用ガスのバルブは緊急時に開いて落下を防止することもできる。
【符号の説明】
【０００９】１  ドローン
２  風船
３  気球用充填ガスボンベ
４  ガス充填用バルブ
５  ガス放出用バルブ
【図１】
2020050325.tif 000004
(57)【要約】【課題】本発明は別々の異なる溶液を二本のボトルで持ち歩くことなく、ドッキング手法で一体化したボトルとして提供する。【解決手段】二本のボトルをラベルの結束で一体化を果たすのではなくボトル同士の組み合わせで一体化を果たすように設ける。【選択図】図１
2020050437.tif 000002
【特許請求の範囲】
【請求項１】
凹み面のあるボトルと凹み面に入るボトルでドッキングされた一体形のボトルの飲み口は同じ方向を向かないドッキングボトル。
【請求項２】
凹み面にはめ込むボトルの厚みは、凹み面の深さより浅く設けたれたドッキングボトル。
【請求項３】
ドッキングするボトル間の結束を果たすために、同じ位置に設ける凸、凹の半球面部の位置数は２カ所以上設け、これらの凸凹がかみ合うように設けられたドッキングボトル。
【発明の詳細な説明】
【技術分野】
【０００１】本発明はお互いに異なる形状の２個のボトルを組み合わせて１体化したプラスチックボトルに関するものである。
【背景技術】
【０００２】従来、プラスチックボトルは１種類の溶液を入れることのみに対応されている。このような現状の中で独立した複数の同じ形状のボトルを一枚のラベルで束ね複数のボトルを結束させる、いうが考えが成されている。
（特許文献１参照）
【特許文献１】特願２００３−２１２２２６
【発明の開示】
【発明が解決しようとする課題】
【０００３】  プラスチックボトルは様々の形状の大きさで中に入れる溶液の量が調整しています。今日プラスチックボトルを持ち歩く人が多くなり一種類の飲み物だけではなく、他の飲み物が欲しくなる傾向があります。これに対応するためには独立したボトル二個以上確保する必要がありますが、複数個では持ちにくいので一体化の必要性があります。同じ形状のボトルの結束では飲み口が同じ方向に向いているので、一方の飲み口に口を付けたとき他の飲み口に唇が当たりそうになります。又ボトル間の結束にラベルの巻き付け方法によってのみ考えられているのが現状です。  本発明は以上の問題を解決し、飲んでいる最中に他の飲み口に唇が当たらないように成され、ラベルの巻き付け以外の手法でボトルの一体化が成されるものである。
【課題を解決するための手段】
【０００４】２カ所ある飲み口の向きが、お互いが反対方向に開くように設置する。お互いが異なる形状のボトルをお互いが組み合うようにするために片方のボトル面に複数の半球の凹面部を設け、もう一方のボトル面に凸面半球部を設置する。
本発明は以上の構成よりなるドッキングボトルである。
【発明の効果】
【０００５】  本発明を使用すると異なる形状のボトルの組み合わせがラベルの巻き付けによらず成され、飲むとき唇に別の飲み口が当たらない一体化されたボトルになります。
【発明の実施すための最良の形態】
【０００６】以下、本発明の実施の形態を説明する。
（イ）ボトル本体Ａ（１）に切り欠き部（６）とキャップ（３）と凹半球面部（５）を設ける。
（ロ）ボトル本体Ｂ（２）に凸半球面部（４）とキャップ（３）を設ける。
本発明は以上の構成よりなる。
本発明を使用する場合はボトル本体Ａとボトル本体Ｂをドッキングして一体化したボトルとして使用する。
【図面の簡単な説明】
【０００７】
【図１】本発明の一体化された状態の斜視図。
【図２】本発明の一体化されたボトルが分離された状態の斜視図。
【図３】本発明のボトルの一体化もたらす凸、凹の半球面部の位置を示す正面図
【図４】本発明の拡大中央断面図
【符号の説明】
【０００８】  １  ボトル本体Ａ
２  ボトル本体Ｂ
３  キャップ
４  凸半球面部
５  凹半球面部
６  切り欠き部
【図１】
2020050437.tif 000003
【図２】
2020050437.tif 000004
【図３】
2020050437.tif 000005
【図４】
2020050437.tif 000006
(57)【要約】      （修正有）【課題】ユーザーに対し継続販売を可能にする広告サービスを提供する。【解決手段】動画クーポン広告への掲載により、サロンに対して商品を確実に紹介し取扱い機会を提供し、ユーザーに対して宣伝広告だけではなく商品体験をしてもらい、さらにはユーザーに対する継続販売を可能にする動画クーポン広告サービス。【選択図】なし【特許請求の範囲】
【請求項１】
動画クーポン広告への掲載により、サロンに対して商品を確実に紹介し取扱い機会を提供し、ユーザーに対して宣伝広告だけではなく商品体験をしてもらい、さらにはユーザーに対する継続販売を可能にする動画クーポン広告サービス。
【発明の詳細な説明】
【発明の概要】
【０００１】
2020091742.tif 000002
2020091742.tif 000003
2020091742.tif 000004
2020091742.tif 000005
2020091742.tif 000006
2020091742.tif 000007
2020091742.tif 000008
2020091742.tif 000009
2020091742.tif 000010
(57)【要約】【課題】  ドローンと船舶その他の舟艇を牽引器で連結し、ドローンの推進力で船舶その他の舟艇を移動および運搬することで、船舶用の発動機やオールなどの推進器を必要とせずに船舶その他の舟艇を効率的に移動および運搬させることを可能とする。【解決手段】  ドローンと牽引する対象となる船舶その他の舟艇をロープやチェーンなどの牽引器で連結し、ドローンの推進力で牽引し移動および運搬する。船舶その他の舟艇にはドローン発着場とドローンに電力を供給するためのバッテリーを備える。ドローンと船舶その他の舟艇とを連結する牽引器は、船舶その他の舟艇に搭載されたバッテリーからドローンに電力を供給するための送電線の役割を兼ねる。さらにこの一連の装置を使用しない時もしくは船舶その他の舟艇を移動および運搬させない時（同一の場所に停泊している時）は、ドローンを船舶その他の舟艇に備え付けられたドローン発着場に駐機させておく。これにより船舶その他の舟艇の効率的な移動および運搬を実現する。【選択図】図１
2020083289.tif 000002
【特許請求の範囲】
【請求項１】
船舶用の発動機やオールなどの推進器を持たない船舶その他の舟艇を牽引し移動および運搬する手段において、ドローンと、ロープやチェーンなどの牽引器（送電線を兼ねる）と、ドローン発着場およびドローンに電力を供給するためのバッテリーを備えた船舶その他の舟艇と、を備え、ドローンと牽引する対象となる船舶その他の舟艇をロープやチェーンなどの牽引器で連結し、ドローンの推進力で牽引し移動および運搬することを最も主要な特徴とする、船舶その他の舟艇をドローンで牽引するための一連の装置。
【発明の詳細な説明】
【技術分野】
【０００１】  本発明は、ドローンを用いて船舶その他の舟艇を牽引するための一連の装置に関するものである。
【発明の概要】
【発明が解決しようとする課題】
【０００２】  解決しようとする問題点は、船舶用の発動機もしくはオールなどの推進器を使用せずに船舶その他の舟艇をドローンの推進力を用いて効率的に牽引し移動および運搬することを可能にする点である。
【課題を解決するための手段】
【０００３】  本発明は、船舶その他の舟艇を、船舶用の発動機もしくはオールなどの推進器を用いずに効率的に牽引し移動および運搬するため、ドローンと牽引する対象となる船舶その他の舟艇をロープやチェーンなどの牽引器で連結し、ドローンの推進力で牽引し移動および運搬することを最も主要な特徴とする。船舶その他の舟艇にはドローン発着場とドローンに電力を供給するためのバッテリーを備える。ドローンと船舶その他の舟艇とを連結する牽引器は、船舶その他の舟艇に搭載されたバッテリーからドローンに電力を供給するための送電線の役割を兼ねる。さらにこの一連の装置を使用しない時もしくは船舶その他の舟艇を移動および運搬させない時（同一の場所に停泊している時）は、ドローンを船舶その他の舟艇に備え付けられたドローン発着場に駐機させておく。
【発明の効果】
【０００４】  本発明の利点は、船舶その他の舟艇が船舶用の発動機もしくはオールなどの推進器を備えていなくても、船舶その他の舟艇とドローンをロープやチェーンなどの牽引器で連結し、ドローンの推進力で牽引し移動および運搬することで、船舶その他の舟艇自体に船舶用の発動機を取り付けることを不要とし、かつオールなどの推進器を用いて推進させることを不要とする点にある。
【図面の簡単な説明】
【０００５】
【図１】船舶その他の舟艇とドローンをロープやチェーンなどの牽引器で連結し、ドローンの推進力で牽引し移動および運搬することを目的とした、ドローンを用いて船舶その他の舟艇を牽引するための一連の装置。（実施例１）
【発明を実施するための形態】
【０００６】  ドローンと船舶その他の舟艇を組み合わせ、ドローンの推進力で船舶その他の舟艇を牽引し移動および運搬させるという目的を、最小の部品点数で、それぞれの部品の機能を損なわずに実現した。
【実施例１】
【０００７】  図１は、本発明装置の１実施例の概略図であって、１は水底、２は水面、３は船舶その他の舟艇、４はドローン、５はロープやチェーンなどの牽引器（送電線を兼ねる）、６は船舶その他の舟艇に搭載された、船舶その他の舟艇からドローンに電力を供給するためのバッテリー、７は船舶その他の舟艇に備え付けられたドローン発着場である。【０００８】  ドローンは特にその形態を問わない。
【産業上の利用可能性】
【０００９】  従来の船舶その他の舟艇の移動および運搬は主に発動機付きの船舶もしくはオールなどの推進器によるものであった。しかし船舶その他の舟艇をドローンで牽引する一連の装置の導入により、発動機やオールその他の推進力を持たない船舶その他の舟艇を牽引し移動および運搬することが容易となり、効率的な移動および運搬が可能となることから漁業者、海運業者、マリンレジャー業者等に益するものとなる。よってこれら幅広い分野に利用可能である。
【図１】
2020083289.tif 000003
(57)【要約】【課題】ゴミ回収において作業が容易になる器具を提供する。【解決手段】ビニール袋１０１の内側入口付近にビニール袋開口枠１００を取り付け口を大きく広げ保持することによりゴミなどを入れ易くできる。状況によってはビニール袋開口枠１００の一辺を地面に押し付けて塵取りと同様の使い方でゴミなどを入れることができる。【選択図】図３
2020083649.tif 000002
【特許請求の範囲】
【請求項１】
固定枠１の３本を軸３で連結し、他の一辺に伸縮枠２の２本とパイプ４を組み合わせた伸縮部を軸３で連結した構造で伸縮枠２の両端部にゴムバンド５を取り付け、枠が伸びる方向に応力をかけた物。
【請求項２】
ビニール袋１０１はサイズが多種有るのでビニール袋開口枠１００はそのサイズに合わせた物を多種作る。
【発明の詳細な説明】
【技術分野】
【０００１】ゴミ袋を含むビニール袋はゴミなどの物を入れるとき、口が閉じ気味になるので入れ難い傾向にあり、時には口を開く人と入れる人の二人がかりでやる事も多々ある。
【背景技術】
【０００２】屋外でゴミを回収する時、多量のゴミが有るとビニール袋に詰め込むのに手間がかかる。
【発明の概要】
【０００３】ビニール袋の口をそのサイズいっぱいに開き物を入れやすいようにする。
【発明が解決しようとする課題】
【０００４】簡素な構造で壊れ難く安価なコストでできる物とする。【０００５】軽量化し持ち運びに便利で使用しないときはコンパクトに折り畳める構造とする。
【課題を解決するための手段】
【０００６】ビニール袋の内側入口付近に枠となる四角い形状の物を取り付け、その枠は一部に伸縮自在となる構造を設けた物とする。【０００７】伸縮自在となる部分にはゴムバンドなどの伸縮性がある物を取り付け、枠が広がる方向に応力が働き常にビニール袋の入口を広げた状態にする。
【発明の効果】
【０００８】ビニール袋の入り口が常に開いた状態を保てるので物を入れる事が容易にできる。【０００９】地面に有るゴミは四角の一辺を地面に押し付け塵取りのような使い方ができる。【００１０】使用しないときは折り畳んでコンパクトにできるので持ち運びに便利。
【図面の簡単な説明】
【００１１】
【図１】本考案のビニール袋開口枠１００の正面図
【図２】本考案のビニール袋開口枠１００を折り畳んだ正面図
【図３】本考案のビニール袋開口枠１００にビニール袋１０１をとりつけた図
【発明を実施するための形態】
【００１２】この発明の一実施形態を、図１に示す。固定枠１の３本を軸３で連結し、他の一辺に伸縮枠２の２本とパイプ４を組み合わせた伸縮部を軸３で連結する。
伸縮枠２の両端部にゴムバンド５を取り付け枠が伸びる方向に応力をかける。
【００１３】本考案のビニール袋開口枠１００はビニール袋１０１のサイズに合わせ、縮めた状態の時ビニール袋１０１の口の内側に入れることができ、伸びた時にはビニール袋１０１の口の内側を広げる方向に応力をかける。
【符号の説明】
【００１４】１固定枠    ２伸縮枠    ３軸    ４パイプ    ５ゴムバンド
１００ビニール袋開口枠    １０１ビニール袋
【図１】
2020083649.tif 000003
【図２】
2020083649.tif 000004
【図３】
2020083649.tif 000005
(57)【要約】      （修正有）【課題】血流の大きな改善が得られ、かつ出力を停止しても、血流の速度が元に戻りにくい、人体に当てる磁気治療器を提供する。【解決手段】筐体内に設けられた一体の電磁コア体に構成される電磁石と電磁石の間に発生する磁界を、第１の周波数１００〜１５０Ｈｚと第２の周波数２００〜３５０Ｈｚを交互に切り替える構成とする。また、電磁石コイルに出力する磁場の周波数の切り替え時間は、２〜３０秒起きに切り替え得る構成とする。【選択図】図３
2020074949.tif 000002
【特許請求の範囲】
【請求項１】
複数の電磁石に電流を流し、磁場を発生させる磁気治療器において、前記複数の電磁石に出力する前記磁場の周波数を第１の周波数１００〜１５０Ｈｚと第２の周波数２００〜３５０Ｈｚを交互に切り替えながら出力する事を特徴とする磁気治療器。
【請求項２】
請求項１に記載の磁気治療器であって、前記電磁石コイルに出力する磁場の周波数の切り替え時間は、２〜３０秒起きに切り替えすることを特徴とする磁気治療器。
【発明の詳細な説明】
【技術分野】
【０００１】
本発明は、複数の電磁石から発生する交流磁場で、血流の循環を促進させる磁気治療器に関するものである。
【背景技術】
【０００２】
背景技術として、電磁石へ第１の周波数より小さい第２の周波数で出力および出力停止を交互に切り替えながら給電する磁気治療器が知られている。
【先行技術文献】
【特許文献】
【０００３】
【特許文献１】特開２０１４−９０７４４号公報
【発明の概要】
【発明が解決しようとする課題】
【０００４】
しかしながら、特許文献１に記載された磁気治療器は、電磁石に給電する交流電力の周波数を出力および出力停止を交互に切り替えて、給電する周波数を第１の周波数を交流電力５０／６０Ｈｚ、第２の周波数を数Ｈｚから２０Ｈｚ程度に調整しているが、血流の循環促進効果を目的とする場合、周波数が低いと血流の大きな改善は得られなかった。また、出力を停止してしまうと、血流の速度が元に戻ってしまい効果が得られなかった。
【０００５】
本発明は、このような点に鑑み、血流の循環促進効果に優れる特定の周波数を一定の時間で切り替えて交流磁場を発生させる磁気治療器を提供することを目的とする。
【課題を解決するための手段】
【０００６】
本発明に係る磁気治療器は、複数の電磁石に発生する交流磁場を第１の周波数１００〜１５０Ｈｚと第２の周波数２００〜３５０Ｈｚを交互に切り替えながら出力する事を特徴とする。
【０００７】
本発明に係る磁気治療器の第２の特徴は、電磁石に発生する磁場の発生を停止することなく、特定の時間で周波数を切り替えて磁場を発生させることを特徴とする。
【発明の効果】
【０００８】
以上記述したように、本発明によれば、特定の周波数と異なる周波数の磁場を発生させ、血流の循環促進効果を得ることができる。
【図面の簡単な説明】
【０００９】
【図１】本発明の実施形態にかかる磁気治療器の構成を示す図である。
【図２】本発明の実施形態にかかる磁気治療器の断面を示す図である。
【図３】本発明の実施形態にかかる磁気治療器の電磁石への出力波形を示す図である。
【発明を実施するための形態】
【００１０】
以下、図面により、本発明の実施の形態について説明する。
【００１１】
図１は本実施形態に係る磁気治療器１を示す。一体に構成された２個の電磁石２と電磁石３、駆動回路４、充電電池５、筐体６で構成されている。電磁石は２個に限定される事なく、３個・４個と複数の電磁石で構成しても良い。
【００１２】
図２は図１に記載の本実施形態に係る磁気治療器１の断面を示す。一体に形成された電磁石コア体９にコイル７とコイル８が取り付けられている。
【００１３】
電磁石コア体９は、鉄、珪素鋼板、フェライト、パーマロイ、アモルファス等の磁性材料によって形成されている。磁性材料であれば、材質は適宜選定してよい。
【００１４】
コイル７とコイル８は、自己融着線等で巻かれた空芯コイルが電磁石コア体９に配備されている。コイル７とコイル８は、磁気治療器１の表面に同時に発生する磁極が反対になるように構成されている。
【００１５】
筐体６は、樹脂や非磁性金属で構成され、磁場の流れを遮断しないような材料を使用する。
【００１６】
駆動回路４から電磁石２と電磁石３に交流電流を流し磁場を発生させている。電磁石２と電磁石３に発生する磁場は、電磁石２がＮ極の時に電磁石３はＳ極となり、電磁石２がＳ極の時に電磁石３はＮ極になるように、お互いに反対の磁極が同時に発生するようにし、電磁石間に特定の周波数で磁場を発生させている。
【００１７】
電磁石２と電磁石３の間に発生する磁場の部分を人体に当て、血流の促進効果を得る。
【００１８】
図３は本実施形態に係る磁気治療器１の電磁石２と３に流す交流電流の波形を示す。
【００１９】
実験の結果、１００Ｈｚ以上の周波数で大きな血流の改善が見られ、３００Ｈｚまで周波数を上げて行くと血流も上昇する。４００Ｈｚ以上の周波数ではあまりに高周波の為、磁気酔いする事があり、効果的ではない。
【００２０】
また、一定の周波数で固定した場合では磁気に馴染んでしまい、血流の促進が効果的ではなかった。実験の結果、第１の周波数を１００〜１５０Ｈｚ、第２の周波数を２００〜３５０Ｈｚとし、周波数を交互に切り替える事により、馴染みが起きる事なく、血流が大きく促進される事を確認した。
【００２１】
また、可変周波数は、第１の周波数を２〜３０秒、第２の周波数を２〜３０秒にする事で、一番大きく血流が促進される事を確認した。
【００２２】
以上、本発明の実施の形態について説明したが、本発明は上述の実施形態のものに限定されるものではなく、本発明の趣旨を逸脱しない範囲で種々の変形が可能である。
【符号の説明】
【００２３】
１  磁気治療器
２  電磁石１
３  電磁石２
４  駆動回路基盤
５  電池
６  筐体
７  コイル１
８  コイル２
９  電磁石コア体
【図１】
2020074949.tif 000003
【図２】
2020074949.tif 000004
【図３】
2020074949.tif 000005
(57)【要約】      （修正有）【課題】菌の繁殖を止め、食中毒等の危険を無くす事ができる、食器洗いスポンジ除菌収納ボックスを提供すること。【解決手段】木、金属又は樹脂等で形成した食器洗いスポンジ除菌収納ボックス本体１には吸盤２が付いており、流し台のシンク壁面に取り付ける。食器洗いスポンジ除菌収納ボックス本体にはポンプ３が付いており、上蓋１０の開閉に連動してポンプ稼働軸７が上下する。ポンプ稼働軸が下がると排出パイプ８の前に取り付けている排水弁が稼働し、除菌水噴霧ノズル１８から除菌水を噴霧する。【選択図】図１
2020014821.tif 000002
【特許請求の範囲】
【請求項１】
食器洗いスッポンジを収納時、収納ボックス上蓋の開閉により収納した食器洗いスッポンジに除菌水を噴霧し除菌するスッポンジ除菌収納ボックス
【請求項２】
除菌収納ボックス上蓋の開閉時、開閉に連動する取り付ポンプに吸引移出レバーが蓋を開けた時ポンプに除菌水を吸引し蓋を閉めた時ポンプ内の除菌水を排出噴霧し食器洗いスッポンジを除菌する洗浄スッポンジ除菌収納ボックス
【発明の詳細な説明】
【発明の詳細な説明】
【産業上の利用分野】
【０００１】本発明は食器洗いスッポンジに除菌水を噴霧し、食洗いスッポンジの雑菌を防ぎ又除菌水の浸透効果により洗浄スッポンジの中心まで雑菌等の繁殖を抑え、食中毒等の予防をする開閉自動ポンプ噴霧方式の食機洗いスッポンジの除菌収納ボックスである。
【背景技術】
【０００２】食洗いスポンジを使用後流し台シンクの内側壁面に吸盤で取り付けた食器洗いスッポンジ置台が在りその置台にスポンジを置いている。
【発明が解決しようとする課題】
【０００３】従来の食器洗いスポンジ置台では使用後雑菌等の繁殖があり食中毒等の危険があった、本発明は食器洗い後のスポンジを上蓋の付いたスポンジ置台に収納し開けた上蓋を閉じる時に除菌水を噴霧し殺菌作用をする食器洗いスッポンジ除菌収納ボックスである。
【０００４】そこで本発明の目的は上蓋に連動したポンプと除菌水収納タンクを搭載し食器洗いスッポンジ除菌収納ボックスで上蓋が上がるとき除菌水収納タンクから除菌水をポンプに吸い込み、上蓋か閉まる時ポンプから押し出された除菌水が霧状に食器洗いスッポンジに噴霧され除菌する食器洗いスッポンジ除菌収納ボックスである。
【課題を解決するための手段】
【０００５】前記目的を達成して課題を達成するため，本発明に係る食器洗いスッポンジ除菌収納ボックスは上蓋の付いたスポンジ置台と除菌水収納タンク又除菌水を吸い取り排出する上蓋と連動したポンプから構成しており、食器洗いスッポンジを使用後ボックスに収納し、上蓋を閉じる時除菌水が噴霧され食器洗いスッポンジを除菌する収納ボックスである。
【０００６】この上蓋と連動したポンプには２枚の弁が構成されており吸引と排出をコントロールする。
【実施例】
【０００７】以下，添付図面に基づいて本発明の実施例を説明する。
図１は，本発明の食器洗いスッポンジ除菌収納ボックスの一例を示す物である、食器洗いスッポンジ除菌収納ボックスは木、金属又は樹脂等で形成し１の収納ボックスに２の吸盤が付いており流し台のシンク壁面に取り付けるこのスポンジ収納ボックス本体に３のポンプが付いており１０の上蓋の開閉に連動した７のポンプ稼働軸が上下する。【０００８】７の稼働軸は１０の開閉蓋に連動し１０の開閉蓋を開けた時７が上部に動きポンプ内のシリンダーによって１７の除菌水タンクから５の除菌水吸引パイプを通り３のポンプシリンダー内に吸引される、この時５のパイプとシリンダーの間に吸引弁があり弁が開き吸引する。【０００９】７が１０の開動作によって上に上げられた時１９の軸連結ピンにより１０の開閉蓋の上がる角度の変更による軸のズレを吸収するこの時８の排出弁は閉じており吸引弁たけが稼働する又１０の上蓋は１５のバネにより上に持ち上げられる４の開閉蓋ロックは１０を押すことでロックが解除される、３０の洗浄スッポンジを置くボックス下部はメッシュ状で通気を確保する。【００１０】１７の除菌水貯水タンクには２０の除菌水カートリッジから補給し５の吸水パイプを通り３のポンプに貯水される。【００１１】３のポンプに貯水されている除菌水は１０の開閉蓋を閉めることで７のポンプ軸が下がり８の排水パイプの前に取り付けている排水弁か稼働し１８のノズルから除菌水を噴霧する。
【発明の効果】
【００１２】以上説明したように本発明に係る食器洗いスッポンジ除菌収納ボックスは雑菌の繁殖を止め食中毒等の危険を無くす事ができる。
【図面の簡単な説明】
【図１】本発明に係食器洗いスッポンジ除菌収納ボックスの一例を示す透視斜視図である。
【符号の説明】１    食器洗いスッポンジ除菌収納ボックス本体
２    吸盤
３    ポンプ
４    開閉蓋固定ロック
５    吸引パイプ
７    ポンプ稼働軸
８    排出パイプ
１０  開閉蓋
１５  開閉蓋上げバネ
１７  除菌水貯蔵タンク
１８  除菌水噴霧ノズル
２０  除菌水カートリッジ
３０  食器洗いスッポンジ
【図１】
2020014821.tif 000003
(57)【要約】      （修正有）【課題】浴槽の縁が狭かったり肌触りが悪かったりしても、浴槽の縁に肘を掛けるときに快適な環境を提供する。【解決手段】浴槽の縁に快適に肘を掛けられるように、適度な大きさの肘掛をつける。【選択図】図１
2020014822.tif 000002
【特許請求の範囲】
【請求項１】
浴槽用肘掛
【発明の詳細な説明】
【技術分野】
【０００１】この発明は、浴槽用肘掛に関する。
【背景技術】
【０００２】従来浴槽用肘掛は浴槽と一体化しているものである。
【先行技術文献】
【非特許文献】
【０００３】
【非特許文献１】楽天市場・バスタブ浴槽の通販
【発明の概要】
【発明が解決しようとする課題】
【０００４】しかしながら、以上の技術によれば、浴槽の縁に肘をかけるとき縁がせまかったり、肌触りが悪かったり快適でない場合があった。そこで、この発明は快適に浴槽の縁に肘を掛けられることを課題とする。
【課題を解決するための手段】
【０００５】以上の課題を解決するために、本発明は浴槽の縁に適度な大きさの肘掛を付ける。
【発明の効果】
【０００６】本発明によれば、浴槽の縁に肘掛を付けることで快適に肘を掛けることができる
【図面の簡単な説明】
【０００７】
【図１】この発明の一実施形態を示す斜視図である。
【発明を実施するための形態】
【０００８】この発明の一実施形態を、図１に示す。
浴槽の縁に適度な大きさの肘掛を付ける。
【０００９】「実施形態の効果」
この実施形態によれば、浴槽の縁に適度な大きさの肘掛を付けることで快適に肘を掛けることができる。
【００１０】「他の実施形態」
図１の実施形態では、肘掛の材質は問わないが、檜板にすることで檜風呂同様の香りと肌触りを楽しむことができる。
【００１１】図１の実施形態では、肘掛は吸盤で取り付けてあるがマグネットの付く金属の浴槽であれば、マグネットで取り付けても良い。
【００１２】図１の実施形態では、肘掛の表面は何も加工していないが凹凸を付けたりマグネットを埋め込んだりしてマッサージ効果を高めても良い。
【００１３】図１の実施形態では、肘掛は板状であるが、中を空洞にし箱状にして収納部を設け蓋を付け、中に芳香剤や入浴剤を入れたり、小型ラジオ等を入れてもよい。
【００１４】図１の実施形態では、肘掛は板状であるが、中を空洞にして引き出しや引き出し式ミニテーブルを設けても良い。
【００１５】図１の実施形態では、吸盤は中心より若干片側によせて、肘をのせた時、内側に傾き肘を掛けやすいようにしたり、壁際の幅の狭い浴槽の縁にも取り付けやすいようにしてあるが、中心に取り付けて肘を掛けた時傾かないようにしても良い。
【００１６】図１の実施形態では、一人用の肘掛の機能であるが長くして浴槽全体の縁を囲んでも良い。又、半円形や円形等にして、ミニテーブル兼用にしてもよい。
【００１７】図１の実施形態では、肘掛の角は何も加工していないが、角に丸みをつけてもよい。
【００１８】図１の実施形態では、吸盤の数は２個だが、肘掛の大きさ長さに応じて増やしても良い。
【符号の説明】
【００１９】１、肘掛本体  ２、吸盤  ３、浴槽縁
【図１】
2020014822.tif 000003
(57)【要約】【課題】  ゴルフのウッド型クラブのクラブフェースには、ボールが真っ直ぐ飛びやすくなるように横溝が施されている。このようなクラブでボールを打つと、ボールに縦回転が加わり浮力が発生する。しかし、縦回転がボールに強く係り過ぎると同時にバックスピンも強く係ってしまうことになる。その結果、ボールにブレーキが係り飛距離も落ちてしまうといった現象が起きる。  本発明は、バックスピン量を抑え飛距離を伸ばすゴルフクラブヘッドを提供する。【解決手段】ウッド型クラブのフェース面に、スイートスポットを中心にした辺りに横溝の代わりに無数の小丸凸ドットを施すことで、ボールを打った時のボールとの接触摩擦面を小さくして、ボールへの逆回転を係りにくくさせて、バックスピン量も減らして飛距離を伸ばすことを特徴とするゴルフクラブヘッド。【選択図】図１
2020014823.tif 000002
【特許請求の範囲】
【請求項１】
ウッド型クラブのフェース面において、周回する縁際域を除いて、スイートスポットを中心にした中央域辺り一面のスイートエリアが、あたかもエンボス状に見える無数の小丸凸ドットを施してあり、目視では確認しづらいが、触指でははっきり確認できる凹凸面として形成されていることを特徴とするスイートエリアが小丸凸ドット状のフェース面を備えたゴルフクラブヘッド。
【発明の詳細な説明】
【技術分野】
【０００１】  本校案は、ゴルフのウッド型クラブの表面（クラブフェース）に関するものである。
【背景技術】
【０００２】  従来、ゴルフのウッド型クラブのクラブフェースは、浅い横溝が施されているものが主流だった。
【先行技術文献】
【特許文献】
【０００３】
【特許文献１】特開平０９−２５３２４７
【発明が解決しようとする課題】
【０００４】  ゴルフのウッド型クラブ（ドライバー等）のクラブフェースには、打ったボールが真っ直ぐ飛びやすくなるように横溝が施されていることが多い。クラブフェースに横溝が施されているクラブでボールを打つと、ボールに縦回転が加わり浮力が発生する。それによって、ボールは真っ直ぐに飛びやすくなる。しかし、縦回転がボールに強く係り過ぎると、ボールには同時に逆回転（バックスピン）も強く係ってしまうことになる。その結果、ボールにブレーキが係るようになり、ボールの飛距離も落ちてしまうといった現象も起きる。特許文献１に示された先行技術には、アイアン型ゴルフクラブのスイートスポットに丸形の小さな窪みが施されている。この窪みはボールに逆回転を増加させるためのものとなっているために、飛距離が落ちてしまう現象が起きる。
本発明は、以上の問題点を解決するためになされたものである。
【課題を解決するための手段】
【０００５】  クラブのウッド型クラブのフェース面において、周回する縁際域を除いて、スイートスポットを中心にした中央域辺り一面のスイートエリアが、あたかもエンボス状に見える無数の小丸凸ドットを施してあり、目視では確認しづらいが、触指でははっきり確認できる凹凸面として形成されており、スイングされたヘッドがフェース面のスイートエリア周辺でボールを捕らえた瞬間に、ボールとの接触摩擦面が小さくなって  ボールに逆回転がかかりにくくなり、バックスピン量が程良く減少して適量となって、飛距離が伸びる。
以上を特徴とするスイートエリアが小丸凸ドット状のフェース面を備えたゴルフクラブヘッドである。
【発明の効果】
【０００６】  目視では確認しづらいが、触指でははっきり確認できる凹凸面として形成されており、スイングされたヘッドがフェース面のスイートエリア周辺でボールを捕らえた瞬間に、ボールとの接触摩擦面が小さくなってボールに逆回転がかかりにくくなり、バックスピン量が程良く減少して適量となって、飛距離が伸びる。
【図面の簡単な説明】
【０００７】
【図１】  本発明の実施例を示す斜視図
【発明を実施するための形態】
【０００８】  以下、本考案の実施の形態を説明する。
ウッド型クラブヘッド（５）のフェース面（３）において、周回する縁際域を除いて、スイートスポット（４）を中心にした中央域辺り一面のスイートエリア（１）が、あたかもエンボス状に見える無数の小丸凸ドット（２）を施してあり、目視では確認しづらいが、触指でははっきり確認できる凹凸面として形成されている。
本発明は、以上のような構成であり、以下その実際の使用法を説明する。
クラブをスイングすると、ヘッド（５）がフェース面（３）のスイートエリア（１）周辺でボールを捕らえた瞬間に、ボールとの接触摩擦面が小さくなってボールに逆回転がかかりにくくなり、バックスピン量が程良く減少して適量となって、飛距離が伸びる。
【符号の説明】
【０００９】  １  スイートエリア、      ２  小丸凸ドット、      ３  フェース面、
４  スイートスポット、      ５  ヘッド
【図１】
2020014823.tif 000003
(57)【要約】      （修正有）【課題】足先挿入部の全が雨や埃等で濡れたり汚れたりすることを防ぐことができるサンダルを提供する。【解決手段】足裏が載置されるソール部１と、該ソール部の前側に設けられて足先挿入部２を有した足先覆い部２ａとから構成された履物であって、前記足先挿入部から前記ソール部の後側を覆うカバー部材３が連結部材４を介して前記ソール部に可動可能に取り付けられていることを特徴とする。【選択図】図１
2020014819.tif 000002
【特許請求の範囲】
【請求項１】
足裏が載置されるソール部と、該ソール部の前側に設けられて足先挿入部を有した足先覆い部とから構成された履物であって、前記足先挿入部から前記ソール部の後側を覆うカバー部材が連結部材を介して前記ソール部に可動可能に取り付けられていることを特徴とする履物。
【発明の詳細な説明】
【技術分野】
【０００１】  この発明は、サンダル、草履、下駄、靴等の履物に関する物である。
【背景技術】
【０００２】  サンダルを例にすれば、庭やベランダで使用する際に、屋外に置くために雨や露、ほこり等で履物が濡れたり汚れたりすることが多々ある。そのためサンダルを裏返しにして置いたり、使用時に拭いたりする必要があって面倒であった。【０００３】  また、サンダルを履く時は洗濯物等の荷物を持ったりすることが多く、手を使ってのサンダルを拭いたり、裏返したりすることは難しく面倒でもあった。
【発明が解決しようする課題】
【０００４】  従来のサンダル等の履物においては、雨で濡れることや埃を防ぐためには、履物を布等で覆ったり、履物を裏返したりする以外にこれといった手段がなかった。
【０００５】  また、それらの事に対応したサンダルの製品化されたものもなかったため、雨に濡れたり埃等で汚れたりしないようにするとともに、簡単に履物を履く事ができて、脱いだ際も簡単に雨や埃等を防ぐことができる構造を有する履物を目的とする。
【課題を解決するための手段】
【０００６】  本発明は、足裏が載置されるソール部と、該ソール部の前側に設けられて足先挿入部を有した足先覆い部とから構成された履物であって、前記足先挿入部から前記ソール部の後側を覆うカバー部材が連結部材を介して前記ソール部に可動可能に取り付けられていることを特徴とする。
【発明の効果】
【０００７】  以上のように構成された本願請求項１に記載の発明においては、通常、アーチ部でサンダルの足先挿入部を覆う事で、足先挿入部の全が雨や埃等で濡れたり汚れたりすることを防ぐことができる。
【０００８】  サンダルを履く際は、足先で覆うカバーを持ち上げたり、アーチ部に取り付けられた取手を使う事で簡単に履く事ができる。
【０００９】  また、サンダルを脱いだ際でも、足先でアーチ部をスライドさせたり、アーチ部に取り付けられた取手を使う事で、簡単に足先挿入部やソール部を簡単に覆う状態にすることができる。
【発明の実施形態】
【００１０】  本発明の実施例を図１から図２に基づいて説明する。
本発明の履物についてサンダルを例として説明する。
サンダルは足裏が載置されるソール部１と、このソール部１の前側に設けられて足先挿入部２を有した足先覆い部２ａとから構成されている。この足先覆い部２ａは、ソール部１の前側半分程を覆っている。そして、この足先覆い部２ａの後側に足先挿入部２が形成されている。
【００１１】  一方、ソール部１の後側には、足先挿入部２からソール部１の後ろ端部分までを覆う山形状のカバー部材３が配置されており、そのカバー部材３は連結部材４によって取り付けられている。
【００１２】  この連結部材４は長尺状で一端が止め具５ａによって前記足先挿入部２の後端部分のソール部１に回動可能に取り付けられており、他端は止め具５ｂによってカバー部材３の後端部分の内側に取り付けられている。
【００１３】  連結部材４は、ソール部１の止め具５ａとアーチ部３の止め具５ｂによって止められるが、動きが悪くならない程度の締め付け状態にすると良い。
【００１４】  カバー部材３の素材は、山形状を維持する必要があるが硬い素材であれば足を傷めたりする恐れがあること、夏の日射しの暑さによっても簡単には変型しない耐熱性があること、製造時に加工しやすいことを考慮してポリエステル樹脂等のような素材を使用すると良い。
【００１５】  実施形態の効果を図面によって説明すれば、使用しない場合は図１のようにカバー部材３で足先挿入部２やソール部１を覆ってソール部１に埃や雨が入らないようにしている。
【００１６】  使用する時は。図３に示すように、アーチ部３の上部中心部分に設けられている半円板状の取手６を手で持ち上げて、アーチ部３を足先覆い部２ａまで移動させる。
この時、アーチ部３は連結部材４の一方側の止め具５ａを中心にして反時計方向に回動することで前方へ移動することができる。
【００１７】  このようなアーチ部３の操作を簡単にするために、アーチ部３の上部中心辺りに、半円状等のつまみ易い形状の取手６をカバー部材３と同様の素材で接着等の方法で設けると良い。
【００１８】  図３は、履物を使用する際に連結部材４によってカバー部材３を例えば手で持ち上げることによって、足先挿入部２に足を挿入することができることを示した図である。
【００１９】  前記した実施例では、連結部材４をカバー部材３の内側に設けて説明したが、カバー部材３の外側に設けても良いものである。
【図面の簡単な説明】
【００２０】
【図１】履物本体の実施形態のサンダルの側面図である。
【図２】履物本体の実施形態のサンダルの平面図である。
【図３】使用時にアーチ部を上げた側面図である。
【図４】使用時にアーチ部を上げた平面図である。
【符号の説明】１……  ソール部
２……  足先挿入部
２ａ…  足先覆い部
３……  アーチ部
４……  連結部材
５ａ…  止め具
５ｂ…  止め具
６……  取手
【図１】
2020014819.tif 000003
【図２】
2020014819.tif 000004
【図３】
2020014819.tif 000005
【図４】
2020014819.tif 000006
(57)【要約】【課題】 ドリップ（シミ）現象が生じず、しかも飲み口の不快さも生じない紙製ストローを製造する方法を提供する。【解決手段】 ヒートシール能を有する熱可塑性樹脂をラミネートした紙や植物性の素材による板紙状態の細長い長方形の平板紙を、形成するストローの展開形状に切断し、側面部となる両端部を一方を内側に他方を外側に折曲し、外側折曲片を内側に、内側折曲片を外側にして、重合状態で折曲片同士は、先端が接触若しくは離間状態として貼着させることにより、内面外面共にドリップ現象が生じるのを防止した。【選択図】図２
2020014708.tif 000002
【特許請求の範囲】
【請求項１】
ヒートシール能を有する熱可塑性樹脂をラミネートした紙や植物性の素材による板紙状態の細長い長方形の平板紙を、形成するストローの展開形状に切断し、側面部となる両端部を一方を内側に他方を外側に折曲し、外側折曲片を内側に、内側折曲片を外側にして、重合状態で折曲片同士は、先端が接触若しくは離間状態として貼着させる、ことを特徴とする紙製ストローの製造方法。
【請求項２】
前記外側折曲片と内側折曲片の裏面を、薄く削る請求項1記載の製造方法。
【発明の詳細な説明】
【技術分野】
【０００１】
この発明は、紙製・植物性等の素材による飲料用ストローを製造する方法に係り、詳記すれば、貼り合わせ部分にドリップ（シミ）現象が生じるのを防止した紙製・植物性等の素材による飲料用ストローの製造方法に関する。
【背景技術】
【０００２】
環境保護に対する意識の高まりを受け、プラスチック製ストローを廃止する動きが海外で広がっている。紙製ストローも市販されているが、高価となる欠点があった。紙製・植物性等の素材でストローを作ると、貼り合わせ部分に、ドリップ（シミ）現象が生じる。そのため、紙の切断面を内面及び外面共に来ないようにする必要がある。紙の切断面を内面及び外面共に来ないように、二つ折りにした部分を重ね合わせると、貼り合わせ部分の厚みによる飲み口の不快さや製造上の難しさにつながる。そればかりか、特に外面の貼り合わせ部分への浸透によるドリップが生じ、それが目立ってしまう。
【発明の概要】
【発明が解決しようとする課題】
【０００３】
この発明は、このような欠点を解消しようとするものであり、内面外面共にドリップ（シミ）現象が生じず、しかも飲み口の不快さも生じないほか、安価に製造し得る紙製ストローを製造する方法を提供することを目的とする。
【課題を解決するための手段】
【０００４】
上記目的を達成するため、本発明者は、鋭意研究の結果、紙や植物性の素材（草、竹、その他）による板紙状態の細長い長方形の平板紙を、側面部となる両端部を一方を内側に他方を外側に折曲し、外側折曲部片を内側に、内側折曲片を外側にして、重合状態で折曲片同士は、先端が接触若しくは離間状態として、貼着させることにより、ストローの表裏面共に紙の切断部は出ないので、ドリップ現象が生じないストローの形成に成功した。折曲部同士が重合状態では、外面にドリップ現象が生じ得るし、紙が厚くなり、外見も悪く、貼りつき具合も完璧とは言えず、安定しない。本願発明は、折曲部同士は重合していないので３重であり、又は両折曲片の内側のみを削る事も出来、１／２づつ削つた場合は２重の厚さになるので、何ら問題は生じ無い。尚、折曲部とは、折曲片とそれに連設したストロー状部の一部を含む折り返し部の意味である。
前記外側折曲片と内側折曲片の裏面を、薄く削ることによって、折曲部を薄くすることができる（請求項２）。
【０００５】
即ち本発明は、ヒートシール能を有する熱可塑性樹脂をラミネートした紙や植物性の素材による板紙状態の細長い長方形の平板紙を、形成するストローの展開形状に切断し、側面部となる両端部を一方を内側に他方を外側に折曲し、外側折曲片を内側に、内側折曲片を外側にして、重合状態で折曲片同士は、先端が接触若しくは離間状態として貼着させる、ことを特徴とする。
【発明の効果】
【０００６】
本発明によれば、紙や植物性の素材による板紙状態の細長い長方形の平板紙を使用してストロー状に形成し、両端部を一方を外側に他方を内側に折曲し、外側折曲部片を内側に、内側折曲片を外側にして、重合状態で折曲片同士は、先端が接触若しくは離間状態として、貼着する事によって、紙の切断面が内面及び外面に出ないように形成できるから、内面外面共にドリップ現象が避けられるという効果を奏する。
【図面の簡単な説明】
【０００７】
【図１】細長い平板紙の平面図である。
【図２】ストローのように円形にした状態を示す斜視図である。
【図３】ストローに形成する状態を示す斜視図である。
【図４】図２の平面図である。
【図５】図３の平面図である。
【図６】折曲部を薄く削る場合を示す平面図である。
【符号の説明】
【０００８】
１・・・・・平板紙
２，２´・・折曲部
３，３´・・折曲部の裏面
【発明を実施するための形態】
【０００９】
次に、本発明の実施の形態を説明する。
図1に示すように、ヒートシール能を有する熱可塑性樹脂をラミネートした紙や植物性の素材による板紙状態の平板紙を、ストロー状の大きさにカットした平板紙１の側面となる直線部の両端に、折曲片２，２´を設け、平板紙を図2及び図4に示すようにストロー状に丸め、外側折曲片2を外側に、内側折曲片2´を内側に折曲する。尚、折曲片２，２´の大きさは、ストローの大きさによって異なる。
これを、図3及び図5に示すように、外側折曲部片を内側に、内側折曲片を外側にして、重合状態で折曲片同士は、先端が接触若しくは離間状態として、貼着する。
【００１０】
図６に示すように、折曲片２，２´の内側（裏面）３，３´全体を別加工によって薄く削ることによって、折曲部の厚さを薄くすることができる。裏面を削るのは、熱可塑性樹脂を除去しても悪影響を与えないからである。
【産業上の利用可能性】
【００１１】
本発明の方法によって、製造コストも安く、安価な原紙（草等）を使えるので、安価な紙製ストローを提供でき、その利用が期待される。
【図１】
2020014708.tif 000003
【図２】
2020014708.tif 000004
【図３】
2020014708.tif 000005
【図４】
2020014708.tif 000006
【図５】
2020014708.tif 000007
【図６】
2020014708.tif 000008